(57)【要約】【課題】本発明の目的は、横編機を用い、ベースとなる編地に一体でリボンを編成するだけでなく、見栄えの良いリボンを形成することが可能なリボンを備える編地とその編地の編成方法を提供する。  【解決手段】ベース編地２の編成に並行して、リボン本体となるリボン５の最終コースの編目を、ベース編地２に対してウエール方向に順次接合する。更に中央編地３を最終コースまで編成してベース編地２と接合する。また、中央編地３の裏側に位置するベース編地２には、ウエール方向に並ぶ２つのリボン挿通孔４を形成する。一対のリボン５は、それぞれが独立した状態でリボンの輪７を形成して折り返し、ベース編地２との接合部側の開口部６より中央編地３の裏側に挿入して２個のリボン挿通孔４を通過させてリボン５を固定し、挿入した開口部６から引き出して左右対称形のリボンを形成することができる。【選択図】図１
2015021211.tif 000002
【特許請求の範囲】
【請求項１】
少なくとも前後一対の針床を備え、前後の針床間で目移しが可能な横編機を用いて、少なくとも一対のリボンを備える編地の編成方法において、
リボンを編付けるベース編地２と、編成後にリボン５を挿通させるリボン挿通孔４と、該ベース編地２に対向する位置に配置されてリボンの結び目となり左右両側に開口部６が形成される中央編地３と、前記開口部６近傍のベース編地２に接合される一対のリボン５を備え、
前記ベース編地２と一対のリボン５（５Ｒ,５Ｌ）を編成する工程１と、
前記中央編地３を編成する工程２と、
前記ベース編地２の編成の途中で、中央編地３の裏側の位置となるベース編地２の中央部に少なくとも２つのリボン挿通孔４を形成する工程３と、
前記ベース編地２の編成に並行して、前記中央編地３の左右両側に形成される開口部６近傍のベース編地２に対し、一対のリボン５（５Ｒ,５Ｌ）の最終コースの編目をウエール方向に接合する工程４を有することを特徴とする少なくとも一対のリボンを備える編地の編成方法。
【請求項２】
前記リボン５の編成は、前後針床を用いた袋編成で行うことを特徴とする請求項１に記載の少なくとも一対のリボンを備える編地の編成方法。
【請求項３】
横編機を用いて編成され、少なくとも一対のリボンを備える編地において、
リボンを編付けるベース編地２と、リボン５を挿通させるリボン挿通孔４と、該ベース編地２に対向する位置に配置されてリボンの結び目となり左右両側に開口部６が形成される中央編地３と、前記開口部６近傍のベース編地２に接合される一対のリボン５（５Ｒ,５Ｌ）を備え、前記中央編地３の裏側の位置となるベース編地２には、少なくともウエール方向に２つのリボン挿通孔４が配置され、左右一対の開口部６近傍のベース編地２のそれぞれには、リボン５の最終コースの編目がウエール方向に接合されることを特徴とする少なくとも一対のリボンを備える編地。
【発明の詳細な説明】
【技術分野】
【０００１】
本発明は、リボンを備える編地の編成方法、およびその編成方法により得られる編地に関する。
【背景技術】
【０００２】
従来より、編機を用いて編成されたニットウェアや手袋に付加価値を付ける為、セーターの肩部や手袋の甲にリボンを配置した製品がある。予めリボンテープなどでリボンを形成したものを編成後に縫製で取り付けていた。或いは、経編機等ではベースとなる編地から分岐させて２本の紐を編成し、後に該紐を結んでリボンを形成することも可能であった (特許文献１参照) 。しかしながら、ベースとなる編地から連続して編成された紐を結んでリボンを形成する為、結び目の見栄えも不十分で仕上がりも左右対称にはならず、見栄えの良いリボンは難しかった。
【先行技術文献】
【特許文献】
【０００３】
【特許文献１】特開２００６−２０００４８号公報
【発明の概要】
【発明が解決しようとする課題】
【０００４】
本発明の目的は、横編機を用い、ベースとなる編地に一体でリボンを編成するだけでなく、見栄えの良いリボンを形成することが可能な少なくとも一対のリボンを備える編地の編成方法とその編地を提供することである。
【課題を解決するための手段】
【０００５】
少なくとも前後一対の針床を備え、前後の針床間で目移しが可能な横編機を用いて、少なくとも一対のリボンを備える編地の編成方法において、リボンを編付けるベース編地と、編成後にリボンを挿通させるリボン挿通孔と、該ベース編地に対向する位置に配置されてリボンの結び目となり左右両側に開口部が形成される中央編地と、前記開口部近傍のベース編地に接合される一対のリボンを備え、前記ベース編地と一対のリボンを編成する工程１と、前記中央編地を編成する工程２と、前記ベース編地の編成の途中で、中央編地の裏側の位置となるベース編地の中央部に少なくとも２つのリボン挿通孔を形成する工程３と、前記ベース編地の編成に並行して、前記中央編地の左右両側に形成される開口部近傍のベース編地に対し、一対のリボンの最終コースの編目をウエール方向に接合する工程４を有することを特徴とする。
【０００６】
前記リボンの編成は、前後針床を用いた袋編成で行うことを特徴とする。
【０００７】
横編機を用いて編成され、少なくとも一対のリボンを備える編地において、リボンを編付けるベース編地と、リボンを挿通させるリボン挿通孔と、該ベース編地に対向する位置に配置されてリボンの結び目となり左右両側に開口部が形成される中央編地と、前記開口部近傍のベース編地に接合される一対のリボンを備え、前記中央編地の裏側の位置となるベース編地には、少なくともウエール方向に２つのリボン挿通孔が配置され、左右一対の開口部近傍のベース編地のそれぞれには、リボンの最終コースの編目がウエール方向に接合されることを特徴とする。
【発明の効果】
【０００８】
本発明によれば、少なくとも一対のリボンは、ベース編地に対して開口部近傍でそれぞれ最終コースの編目が接合されてリボンの一端が固定される。結び目に見せる役割の中央編地と、ベース編地に形成したリボン挿通孔により、接合箇所から延びる各リボンは、２つのリボン挿通孔を通過させることでリボンの輪を形成した状態が固定される。リボンの輪を形成した後に挿入してリボンを引き出せば、一対のリボンは中央編地の裏側を通過するだけで、結びも不要で一対のリボンを左右対称形とでき、見栄えの良いリボンを形成することが可能な編地を編成できる。
【０００９】
また本発明によれば、リボンを筒状編地とすることができ、しっかりとした立体的なリボンを形成することが可能となる。
【００１０】
また本発明による少なくとも一対のリボンを備える編地は、縫製作業が不要で見栄えの良いリボンを形成することが可能な編地である。
【図面の簡単な説明】
【００１１】
【図１】（Ａ）は、本発明の実施形態である一対のリボンを備える編地１の写真を、（Ｂ）は、リボンを形成した状態で中央編地を取り除いた一対のリボンを備える編地１の写真を示す図である。
【図２】（Ａ）は、本発明の実施形態である一対のリボンを備える編地１の編成途中の概略図で、（Ｂ）は、編成終了時の概略図である。
【図３】本発明の実施形態である一対のリボンを備える編地１を編成後、リボンを用い、２つのリボン挿通孔を通過させることでリボンを形成する際のリボンの経路を示す側面概略図である。
【発明を実施するための形態】
【００１２】
以下、本発明の実施形態を図面に基づいて説明する。使用する編機は２枚ベッド横編機で、リボンを構成する各編地を編成する。なお、後述する中央編地の編成は、ベース編地に対して先行したり遅れたりする編成も可能であるが、説明の便宜上、両編地を並行して編成する方法で説明する。また、一対のリボンは、ベース編地の両側あるいは片側への配置が可能で、更に編地外と編地内での編成も可能であるが、実施形態では、ベース編地の両側に編地外で編成する方法で説明を行う。
【００１３】
図１の（Ａ）は、本発明の実施形態であるリボンを形成した一対のリボンを備える編地１の写真を示す図であり、図１の（Ｂ）は、説明の便宜上、リボンを形成した状態で中央編地を取り除いた一対のリボンを備える編地１の写真を示す図である。（Ａ）は、編地１の編成後、リボン５を中央編地３の裏側にある２個のリボン挿通孔４を通過させて固定し、リボン５を結ぶことなくリボンを表現した状態の写真である。中央編地３が結び目として、一対のリボン５が綺麗に結ばれているように見える編地となっている。
【００１４】
図１の（Ｂ）では、リボン本体となる一対のリボン５は、それぞれが独立した状態でリボンの輪７を形成して折り返えされる。更にリボン５は、ベース編地２との接合部側の開口部６から中央編地３の裏側に入り、更に２個のリボン挿通孔４を通過して固定し、入った側の開口部６から外部に出て左右対称形の見栄えの良いリボンを形成している。
【００１５】
図２の（Ａ）は、リボンを編付けるベース編地２と、結び目に見える中央編地３と、リボン５の編成時の位置関係を示し、実線部分は編成途中の状態で、一点鎖線部分は継続して編成を進めるベース編地２と中央編地３の形状を、点線部分は中央編地３の裏側に位置するリボン挿通孔４（４Ｕ，４Ｄ）を示す。なお、セーターの左胸等にリボンを形成する場合には、リボン５の移動距離が短い同じ側のベース編地２の編幅外で、２本のリボン５を編成する。
【００１６】
リボン５（５Ｌ，５Ｒ）は、それぞれ前後針床を用いた袋編成で形成する。更にその中間の位置で、ベース編地２は単層編地で形成する。リボン５Ｌとリボン５Ｒは、袋編成で筒状に形成した後、最終的には前後の編目を重ねて単層編地にする。またベース編地２が２層編地で、リボン５を単層編地としても良い。単層のリボン５を編成する際には、使用できる空針があるためベース編地２の編幅内で編成する事もできる。
【００１７】
ベース編地２の編成の途中で中央編地３を分岐させる編成を行う。具体的には、前後針床の空針に中央編地３の編出しとなる増し目の形成を行う。該増し目については、掛け目で形成しても良いし、割増やし編成で形成しても良い。形成した増し目に対して、異なる給糸口を用いて、中央編地３を編成する。また本実施形態では表目が必要な為、ベース編地２、中央編地３、リボン５のそれぞれの編地は前針床で編成する。その際、前針床側からみて、中央編地３のように手前側の編地を編成する際には、奥側のベース編地２の編目を後針床に一旦退避させて編成を行う。
【００１８】
リボン５（５Ｒ,５Ｌ）のそれぞれの編目を中央編地３の左右両側に形成される開口部６近傍の位置に移動し、中央編地３に近い側の編目から順に、ベース編地２と接合する。重ね目を形成し、新たな編目を編成することで接合されるが、接合は、毎コースでも1コース置きでも構わない。リボン５の編目を全て接合するまで繰り返す。なお、リボン５をベース編地２に接合する位置は、中央編地３の端部に近いほうが良く、中央編地３の裏側となっても良い。リボンを形成した際に、接合箇所が隠れて綺麗に仕上がる。また、ウエール方向に接合する接合位置は、コース方向にずらしても良い。
【００１９】
図２の（Ｂ）は、編成終了時の概略図である。リボン５の最終コースの編目をベース編地２に対してウエール方向に接合している状態を示している。更に中央編地３の裏側となるベース編地２の中央部には、ウエール方向に２つのリボン挿通孔４を形成する。前針床に係止するベース編地２の編目を、一旦、後針床に目移しすると共に、中央編地３のコース方向中央部となる編目を、隣りの編目に目移しして重ね目を設け、リボン挿通孔４を形成する。ここでは、１目を目移ししたが２目以上の連続する編目を移動しても良い。形成するリボン５の編糸の太さや紐幅によりリボン挿通孔４の大きさを調整すれば良い。
【００２０】
また各編地の編成は、ベース編地２と中央編地３を並行して形成しながら、リボン５をウエール方向に順次接合し、合わせてリボン挿通孔４を形成する。リボン５の接合と中央編地３の編成が完了した段階で、ベース編地２と中央編地３を接合し、更に連続してベース編地２を編成する。上端と下端が接合したベース編地２と中央編地３のウエール方向の編目数は、異なっても良く、厚みのあるリボン５の場合には、中央編地３の編目数を数目多くすることで、綺麗に仕上がる。
【００２１】
編地１の編成終了後、図１（Ｂ）で示したように、手作業でリボン５を折り返してリボンの輪７を形成した後に中央編地３の裏側に隠れるリボン挿通孔４の上下を通過させる。左右２本のリボンが、同じリボン挿通孔４でしっかりと固定さる。本実施形態では、リボン挿通孔４は２つであったが、更に増やして左右に配置しても良く、最終的に開口部６からリボン５を引き出せれば良い。また、左右のリボン５は必ずしも同じ位置で対称形にしなくても良い。
【００２２】
図３では、リボンを２つのリボン挿通孔を通過させてリボンを形成する際の経路を示し、図３（Ａ）は、本実施形態の図１（Ｂ）の写真の状態の側面図である。ベース編地２に接合されているリボン５がリボンの輪７を形成し、開口部６から挿入して上部側のリボン挿通孔４Ｕ、下部側のリボン挿通孔４Ｄの順に通過させて同じ側の開口部６から引き出している。また図３（Ｂ）は、リボン挿通孔４Ｕと下部側のリボン挿通孔４Ｄの通過させる順番を入替えたものである。リボン５がリボン挿通孔４を周回するようにして交差するので、（Ａ）に比べ、より強固に固定され、結び目の役割を果たす中央編地３が盛り上がり、より立体的になる。
【００２３】
なお、本実施形態では、ベース編地２、中央編地３、リボン５は、帯状で編幅に変化の無い形状の天竺組織であったが、減らし処理や増やし処理を行って形状を変化させることも可能で天竺以外の組織を形成することも可能である。更に、一対のリボン５により説明を行ったが、二対以上のリボン５の形成も可能であり、編地の左右等にリボンを形成することも出来る。
【符号の説明】
【００２４】
１  編地
２  ベース編地  
３  中央編地  
４、（４Ｕ、４Ｄ）  リボン挿通孔      
５、（５Ｒ、５Ｌ）  リボン      
６  開口部  
【図２】
2015021211.tif 000003
【図３】
2015021211.tif 000004
【図１】
2015021211.tif 000005